(57)【特許請求の範囲】
【請求項１】
Ｌ個のセクタ（Ｌは自然数）に、それぞれ複数のアンテナブランチを配置し、各アンテナブランチで無線信号を受信して復調処理する無線受信装置において、
１セクタあたり一つのアンテナブランチの受信信号をパスサーチ用受信信号として選択する、パスサーチ用受信信号選択手段と、
各パスサーチ用受信信号の遅延プロファイルを各々算出する、遅延プロファイル算出手段と、
前記遅延プロファイル算出手段により算出された全てのパスサーチ用受信信号の遅延プロファイルから、相関電力のピーク値に対応するピーク出力位相を、電力値が大きい順に所定数検出するとともに、該遅延プロファイルを、同一のセクタに配置され且つパスサーチ用受信信号の選択から除外されたアンテナブランチの遅延プロファイルとみなして、前記ピーク出力位相に対応する拡張ピーク出力位相を所定数特定し、前記ピーク出力位相及び拡張ピーク出力位相を復調処理対象のピークサンプル点とする、制御手段と、
各ピークサンプル点に対応する受信信号を、各ピークサンプル点の位相に基づいてそれぞれ復調処理し、各復調処理結果を合成して復調信号を得る、復調手段と、
を備えたことを特徴とする無線受信装置。
【請求項２】
Ｌ個のセクタ（Ｌは２以上の自然数）に、それぞれ複数のアンテナブランチを配置し、各アンテナブランチで無線信号を受信して復調処理する無線受信装置において、
１セクタあたり一つのアンテナブランチの受信信号をパスサーチ用受信信号として選択するとともに、後述するパスサーチ用受信信号選択信号に従い、パスサーチ用受信信号の選択から除外されたアンテナブランチの中から１つの冗長パスサーチ用受信信号を選択する、パスサーチ用受信信号選択手段と、
各パスサーチ用受信信号及び冗長パスサーチ用受信信号の遅延プロファイルを各々算出する、遅延プロファイル算出手段と、
前記各パスサーチ用受信信号及び冗長パスサーチ用受信信号の遅延プロファイルに基づき、相関電力のピーク値に対応するピーク出力位相を所定数だけ検出し、さらに、前記各遅延ファイルのうち、冗長パスサーチ用受信信号として選択されているアンテナブランチを含むセクタ以外のパスサーチ用受信信号の遅延プロファイルを、同一のセクタに配置され且つ遅延プロファイル算出の対象から除外されたアンテナブランチの遅延プロファイルとみなして、当該遅延プロファイルから検出されたピーク出力位相に対応する拡張ピーク出力位相を特定し、前記ピーク出力位相及び拡張ピーク出力位相から復調処理の対象とする所定数の位相をピークサンプル点として選択するとともに、当該各ピークサンプル点の相関電力のピーク値の大きさに基づいて、冗長パスサーチ用受信信号の選択対象となる追加サーチセクタを決定し、新たに決定された追加サーチセクタが現在の追加サーチセクタと異なる場合は、当該新たな追加サーチセクタから次の冗長パスサーチ用受信信号を選択するよう指示するパスサーチ用受信信号選択信号を出力する、制御手段と、
各ピークサンプル点に対応する受信信号を、各ピークサンプル点の位相に基づいてそれぞれ復調処理し、各復調処理結果を合成して復調信号を得る、復調手段と、
を備えたことを特徴とする無線受信装置。
【請求項３】
制御手段は、前記各ピークサンプル点の相関電力のピーク値の大きさに代えて、遅延プロファイル毎のピークサンプル点の数に基づいて追加サーチセクタを決定してパスサーチ用受信信号選択信号を出力する構成とされたことを特徴とする、請求項２に記載の無線受信装置。
【請求項４】
制御手段は、ピーク出力位相と拡張ピーク出力位相の相関電力のピーク値が同一である場合には、ピーク出力位相を優先してピークサンプル点として選択する構成とされたことを特徴とする、請求項２又は請求項３のいずれかに記載の無線受信装置。
【請求項５】
遅延プロファイル算出手段は、複数のパスサーチ用受信信号に関する遅延プロファイルを時分割で順次算出する構成とされたことを特徴とする、請求項１ないし４のいずれかに記載の無線受信装置。
【請求項６】
Ｌ個のセクタ（Ｌは自然数）に、それぞれ複数のアンテナブランチを配置し、各アンテナブランチで無線信号を受信して復調処理する無線受信装置の有効パス選択方法において、
１セクタあたり一つのアンテナブランチの受信信号をパスサーチ用受信信号として選択する、パスサーチ用受信信号選択工程と、
各パスサーチ用受信信号の遅延プロファイルを各々算出する、遅延プロファイル算出工程と、
前記遅延プロファイル算出工程で算出された全てのパスサーチ用受信信号の遅延プロファイルから、相関電力のピーク値に対応するピーク出力位相を、電力値が大きい順に所定数検出するとともに、該遅延プロファイルを、同一のセクタに配置され且つパスサーチ用受信信号の選択から除外されたアンテナブランチの遅延プロファイルとみなして、前記ピーク出力位相に対応する拡張ピーク出力位相を所定数特定し、前記ピーク出力位相及び拡張ピーク出力位相を復調処理対象のピークサンプル点とし、復調回路の複数のフィンガ部に各々割り当てるピークサンプル点割当工程と、
を備えることを特徴とする無線受信装置の有効パス選択方法。
【請求項７】
Ｌ個のセクタ（Ｌは２以上の自然数）に、それぞれ複数のアンテナブランチを配置し、各アンテナブランチで無線信号を受信して復調処理する無線受信装置の有効パス選択方法において、
１セクタあたり一つのアンテナブランチの受信信号をパスサーチ用受信信号として選択するとともに、後述するパスサーチ用受信信号選択信号に従い、パスサーチ用受信信号の選択から除外されたアンテナブランチの中から１つの冗長パスサーチ用受信信号を選択する、パスサーチ用受信信号選択工程と、
各パスサーチ用受信信号及び冗長パスサーチ用受信信号の遅延プロファイルを各々算出する、遅延プロファイル算出工程と、
前記各パスサーチ用受信信号及び冗長パスサーチ用受信信号の遅延プロファイルに基づき、相関電力のピーク値に対応するピーク出力位相を所定数だけ検出し、さらに、前記各遅延ファイルのうち、冗長パスサーチ用受信信号として選択されているアンテナブランチを含むセクタ以外のパスサーチ用受信信号の遅延プロファイルを、同一のセクタに配置され且つ遅延プロファイル算出の対象から除外されたアンテナブランチの遅延プロファイルとみなして、当該遅延プロファイルから検出されたピーク出力位相に対応する拡張ピーク出力位相を特定し、前記ピーク出力位相及び拡張ピーク出力位相から復調処理の対象とする所定数の位相をピークサンプル点として選択し、復調回路の複数のフィンガ部に各々割り当てるピークサンプル点割当工程と、
各ピークサンプル点の相関電力のピーク値の大きさに基づいて、冗長パスサーチ用受信信号の選択対象となる追加サーチセクタを決定し、新たに決定された追加サーチセクタが現在の追加サーチセクタと異なる場合は、当該新たな追加サーチセクタから次の冗長パスサーチ用受信信号を選択するよう指示するパスサーチ用受信信号選択信号を出力する、パスサーチ用受信信号制御工程と、
を備えたことを特徴とする無線受信装置の有効パス選択方法。
【請求項８】
パスサーチ用受信信号制御工程は、前記各ピークサンプル点の相関電力のピーク値の大きさに代えて、遅延プロファイル毎のピークサンプル点の数に基づいて追加サーチセクタを決定してパスサーチ用受信信号選択信号を出力することを特徴とする、請求項７に記載の無線受信装置の有効パス選択方法。
【発明の詳細な説明】
【０００１】
【発明の属する技術分野】
この発明は、無線セルが１つまたは複数のセクタで構成され、各セクタ毎に複数のアンテナブランチが配置された無線受信装置及びその有効パス選択方法に関する。
【０００２】
【従来の技術】
図８は、例えば特開平１１−８８２４７号公報に開示された、従来の無線基地局装置の構成図である。当該従来の無線基地局装置では、送信装置（図８に記載せず）から送信された無線信号を、２つのアンテナブランチ（ブランチ＃１及びブランチ＃２）で受信し、それぞれ別個に入力端子５０、５１から入力する。
当該受信信号はスペクトル拡散方式によって変調処理されており、送信局−無線基地局装置間伝送路状況推定のため、所定の時間間隔で既知のパイロットシンボルが挿入されている。
【０００３】
各入力端子５０、５１から入力された各アンテナブランチの受信信号は、それぞれ対応する遅延プロファイル計算手段５２、５３に入力され、別個に遅延プロファイルが算出される。
遅延プロファイル計算手段５２、５３には、上述したパイロットシンボルのレプリカ（以下、送信レプリカと呼ぶ）が保存されている。遅延プロファイル計算手段５２、５３はそれぞれ対応する受信信号に実際に含まれたパイロットシンボルと送信レプリカとの間の相関電力値を所定時間間隔毎に算出する。当該相関電力値は、予め定められた時間に亘り積分処理され伝搬路状況の瞬時変動による影響が除去された後に、受信信号各々に関する遅延プロファイルとして出力される。
【０００４】
次にパス制御部５４は、両受信信号（ブランチ＃１及びブランチ＃２）の遅延プロファイルから、相関電力値がピークを有する、Ｍ個の信号タイミング（以下、ピーク出力位相と呼ぶ）を検出する（Ｍは後述するフィンガ部の総数）。
ここでＭ個のピーク出力位相の時間間隔は、遅延プロファイル計算手段５２、５３及び当該パス制御部５４の相関電力値の分解能（例えば、０．７５拡散チップ時間）以上に離れている必要があり、該分解能より時間的に近接した相関電力値のピークは、独立したピーク出力位相として検出されない。
【０００５】
またパス制御部５４は、前記Ｍ個のピーク出力位相の近傍（例えば、ピーク出力位相から１シンボル時間離れたタイミング）における相関電力を平均して、平均雑音電力レベルを推定する。
【０００６】
パス制御部５４は、前記Ｍ個のピーク出力位相と、後述する各フィンガ部にそれぞれ割当てられているアンテナブランチ及び逆拡散シンボルタイミングとを比較して、各フィンガ部が有効なマルチパス伝搬路を捉えているか判定し、各フィンガ部の設定を更新するか否かを決定する。
【０００７】
フィンガ部に既に割当てられている逆拡散シンボルタイミングと、前記Ｍ個の内の何れかのピーク出力位相との間の位相差が、所定の閾値（例えば±０．７５拡散チップ時間）未満である場合、当該フィンガ部は有効なマルチパス伝搬路を捉え同期状態にあると判断し、該フィンガの設定を更新しない。
【０００８】
一方、既に割当てられている逆拡散シンボルタイミングと前記Ｍ個の前記ピーク出力位相との位相差が何れも前記閾値未満とならなかった場合、当該フィンガ部は有効なマルチパス伝搬路を捉えておらず、非同期状態にあると判断し、該フィンガ部に関する連続非同期状態検出回数をカウントする。
【０００９】
パス制御部５４は、前記Ｍ個のピーク出力位相の内、未だ何れのフィンガ部に割当てられおらず、各フィンガ部に割り当てられているアンテナブランチの逆拡散シンボルタイミングとの位相差が、例えば±１チップ以上離れているピーク出力位相を「有効ピーク出力位相候補」として特定する。
更に、前記有効ピーク出力位相候補の内、同一のシンボルタイミングから所定の時間範囲内（例えば±０．７５拡散チップ時間）で、複数回連続して有効ピーク出力位相候補が検出された場合には、これを「有効ピーク出力位相」として特定する。
【００１０】
連続非同期状態検出回数が所定回数（例えば２回）を超えたフィンガ部が発生した際に、前記有効ピーク出力位相が特定されている場合には、パス制御部５４は、該有効ピーク出力位相に対応するアンテナブランチを当該フィンガ部に割当てるとともに、有効ピーク出力位相を該フィンガ部の逆拡散シンボルタイミングとして設定する。
【００１１】
一方、連続非同期状態検出回数が所定回数を超えたフィンガ部が発生した際に、前記有効ピーク出力位相が特定されていない場合には、パス制御部５４は、当該フィンガ部の出力をレイク合成の対象から除外するよう、後述するレイク合成手段６５に指示する。
【００１２】
なお、前記連続非同期状態検出回数が所定回数に満たないフィンガ部については、アンテナブランチ及び逆拡散シンボルタイミングを変更しない。
【００１３】
各入力端子５０、５１から入力された受信信号は、当該無線基地局装置が備える８個のフィンガ部６０−１〜６０−８にも入力される。なお図８では簡単のため、２個のフィンガ部６０−１、６０−８のみが示されているが、実際には８個のフィンガ部を備えるものとする。また各フィンガ部６０−１〜６０−８は同一の構成を有し、同様の信号処理を行うものであるため、以下ではフィンガ部６０−１について動作を説明し、フィンガ部６０−２〜６０−８の動作については説明を省略する。
【００１４】
スイッチ６１は、各アンテナブランチの受信信号を入力し、パス制御部５４より上述の通り指定されたブランチの受信信号を選択して出力する。相関器６２は、パス制御部５４によって指定された逆拡散シンボルタイミングに従って、スイッチ６１から出力された受信信号を逆拡散処理する。
【００１５】
重み係数推定部６３は、相関器６２の出力信号を入力して所定時間に亘って平均化処理し、例えば「ＤＳ／ＣＤＭＡにおける内挿型同期検波レイクの特性」（東他、電子情報通信学会研究会報告、ＲＣＳ９４−９８、ｐｐ．５７−６２、１９９４年１０月）に開示された方法により、前記パイロットシンボルを用いて当該受信信号に関するチャネル推定処理を行い、該チャネル推定結果に基づいて逆拡散処理済の受信信号に乗ずる重み係数を決定する。
重み付け回路６４は、相関器６２から出力された逆拡散処理済の受信信号に前記重み係数の共役複素数を乗ずる。
【００１６】
各フィンガ部６０−１〜６０−８から出力された逆拡散処理済の受信信号は、レイク合成手段６５によって同相加算処理され、復調信号が生成される。この際、上述の通り、パス制御部５４から除外指示があったフィンガ部の出力信号は、レイク合成手段６５による復調信号生成処理の対象から除外される。
【００１７】
以上の通り、従来の無線基地局装置では、各アンテナブランチの受信特性に応じて各フィンガ部を選択制御することにより、小さな回路規模でスペースダイバーシティ効果とパスダイバーシティ効果を得ることができる。
また、各アンテナブランチについて積分処理後に遅延プロファイルを算出し、これに基づいて各フィンガ部の割り当てを切り替えることにより、マルチパス伝搬路状況下においてもフェージングや雑音による瞬時変動の影響を抑圧することができる。
さらに、受信レベルが所定レベルより低い、または受信レベルが干渉レベルと同等とみなせるようなフィンガ部の出力をレイク合成の対象から除外することにより、レイク合成による特性の劣化を軽減することができる。
【００１８】
【発明が解決しようとする課題】
しかし、前記従来の無線基地局装置では、各アンテナブランチそれぞれについて、別個独立した複数の遅延プロファイル計算手段５２、５３を備え、それぞれ別個に遅延プロファイルを算出するため、アンテナブランチ数が増大すると無線基地局装置の回路が大規模になるという課題があった。
遅延プロファイル計算手段の回路規模増大という課題は、無線基地局装置が複数のセクタを展開し、各セクタに複数のアンテナブランチを配置するような構成とされた場合に、特に顕著となる。
【００１９】
この発明は、前記のような課題を解消するためになされたもので、前記従来の無線基地局装置よりも小さな回路規模で有効パスの選択及びフィンガ割り当てを可能としつつ、復調特性の劣化を抑圧することが可能な無線受信装置及びその有効パス選択方法を得ることを目的とする。
【００２０】
【課題を解決するための手段】
前記課題を解決するために、本発明に係る無線受信装置にあっては、
Ｌ個のセクタ（Ｌは自然数）に、それぞれ複数のアンテナブランチを配置し、各アンテナブランチで無線信号を受信して復調処理する無線受信装置において、
１セクタあたり、少なくとも一つのアンテナブランチの受信信号をパスサーチ用受信信号として選択する、パスサーチ用受信信号選択手段と、
各パスサーチ用受信信号の遅延プロファイルを各々算出する、遅延プロファイル算出手段と、
前記遅延プロファイルに基づき、相関電力のピーク値に対応するピーク出力位相を所定数検出するとともに、該遅延プロファイルを、同一のセクタに配置され且つパスサーチ用受信信号の選択から除外されたアンテナブランチの遅延プロファイルとみなして、前記ピーク出力位相に対応する拡張ピーク出力位相を所定数特定し、前記ピーク出力位相及び拡張ピーク出力位相から復調処理の対象とする所定数の位相をピークサンプル点として選択する、制御手段と、
各ピークサンプル点に対応する受信信号を、各ピークサンプル点の位相に基づいてそれぞれ復調処理し、各復調処理結果を合成して復調信号を得る、復調手段とを備える。
【００２１】
次の発明に係る無線受信装置にあっては、
Ｌ個のセクタ（Ｌは２以上の自然数）に、それぞれ複数のアンテナブランチを配置し、各アンテナブランチで無線信号を受信して復調処理する無線受信装置において、
１セクタあたり、少なくとも一つのアンテナブランチの受信信号をパスサーチ用受信信号として選択するとともに、後述するパスサーチ用受信信号選択信号に従い、パスサーチ用受信信号の選択から除外されたアンテナブランチの中から所定数の冗長パスサーチ用受信信号を選択する、パスサーチ用受信信号選択手段と、
各パスサーチ用受信信号及び冗長パスサーチ用受信信号の遅延プロファイルを各々算出する、遅延プロファイル算出手段と、
前記遅延プロファイルに基づき、相関電力のピーク値に対応するピーク出力位相を所定数だけピークサンプル点として選択するとともに、各ピークサンプル点の相関電力のピーク値の大きさに基づいて、前記冗長パスサーチ用受信信号の選択対象となる追加サーチセクタを決定し、該追加サーチセクタから前記冗長パスサーチ用受信信号を選択するよう指示するパスサーチ用受信信号選択信号を出力する、制御手段と、
各ピークサンプル点に対応する受信信号を、各ピークサンプル点の位相に基づいてそれぞれ復調処理し、各復調処理結果を合成して復調信号を得る、復調手段とを備える。
【００２２】
次の発明に係る無線受信装置にあっては、
制御手段は、前記遅延プロファイルに基づき、相関電力のピーク値に対応するピーク出力位相を所定数検出し、該遅延プロファイルを、同一のセクタに配置され且つ遅延プロファイル算出の対象から除外されたアンテナブランチの遅延プロファイルとみなして、前記ピーク出力位相に対応する拡張ピーク出力位相を所定数特定し、前記ピーク出力位相及び拡張ピーク出力位相から復調処理の対象とする所定数の位相をピークサンプル点として選択するとともに、各ピークサンプル点の相関電力のピーク値の大きさに基づいて、前記冗長パスサーチ用受信信号の選択対象となる追加サーチセクタを決定し、該追加サーチセクタから前記冗長パスサーチ用受信信号を選択するよう指示するパスサーチ用受信信号選択信号を出力する構成とされる。
【００２３】
次の発明に係る無線受信装置にあっては、
制御手段は、各遅延プロファイル毎のピークサンプル点の数に基づいて追加サーチセクタを決定してパスサーチ用受信信号選択信号を出力する構成とされる。
【００２４】
次の発明に係る無線受信装置にあっては、
制御手段は、ピーク出力位相と拡張ピーク出力位相の相関電力のピーク値が同一である場合には、ピーク出力位相を優先してピークサンプル点として選択する構成とされる。
【００２５】
次の発明に係る無線受信装置にあっては、
遅延プロファイル算出手段は、複数のパスサーチ用受信信号に関する遅延プロファイルを時分割で順次算出する構成とされる。
【００２６】
次の発明に係る無線受信装置の有効パス選択方法にあっては、
Ｌ個のセクタ（Ｌは自然数）に、それぞれ複数のアンテナブランチを配置し、
各アンテナブランチで無線信号を受信して復調処理する無線受信装置の有効パス選択方法において、
１セクタあたり、少なくとも一つのアンテナブランチの受信信号をパスサーチ用受信信号として選択する、パスサーチ用受信信号選択工程と、
各パスサーチ用受信信号の遅延プロファイルを各々算出する、遅延プロファイル算出工程と、
前記遅延プロファイルに基づき、相関電力のピーク値に対応するピーク出力位相を所定数検出するとともに、該遅延プロファイルを、同一のセクタに配置され且つパスサーチ用受信信号の選択から除外されたアンテナブランチの遅延プロファイルとみなして、前記ピーク出力位相に対応する拡張ピーク出力位相を所定数特定し、前記ピーク出力位相及び拡張ピーク出力位相から復調処理の対象とする所定数の位相をピークサンプル点として選択し、復調回路の複数のフィンガ部に各々割り当てるピークサンプル点割当工程とを備える。
【００２７】
次の発明に係る無線受信装置の有効パス選択方法にあっては、
Ｌ個のセクタ（Ｌは２以上の自然数）に、それぞれ複数のアンテナブランチを配置し、各アンテナブランチで無線信号を受信して復調処理する無線受信装置の有効パス選択方法において、
１セクタあたり、少なくとも一つのアンテナブランチの受信信号をパスサーチ用受信信号として選択するとともに、後述するパスサーチ用受信信号選択信号に従い、パスサーチ用受信信号の選択から除外されたアンテナブランチより所定数の冗長パスサーチ用受信信号を選択する、パスサーチ用受信信号選択工程と、
各パスサーチ用受信信号及び冗長パスサーチ用受信信号の遅延プロファイルを各々算出する、遅延プロファイル算出工程と、
前記遅延プロファイルに基づき、相関電力のピーク値に対応するピーク出力位相を所定数だけピークサンプル点として選択し、復調回路の複数のフィンガ部に各々割り当てるピークサンプル点割当工程と
各ピークサンプル点の相関電力のピーク値の大きさに基づいて、前記冗長パスサーチ用受信信号の選択対象となる追加サーチセクタを決定し、該追加サーチセクタから前記冗長パスサーチ用受信信号を選択するよう指示するパスサーチ用受信信号選択信号を出力する、パスサーチ用受信信号制御工程とを備える。
【００２８】
次の発明に係る無線受信装置の有効パス選択方法にあっては、
ピークサンプル点割当工程は、前記遅延プロファイルに基づき、相関電力のピーク値に対応するピーク出力位相を所定数検出するとともに、該遅延プロファイルを、同一のセクタに配置され且つ遅延プロファイル算出の対象から除外されたアンテナブランチの遅延プロファイルとみなして、前記ピーク出力位相に対応する拡張ピーク出力位相を所定数特定し、前記ピーク出力位相及び拡張ピーク出力位相から復調処理の対象とする所定数の位相をピークサンプル点として選択する。
【００２９】
次の発明に係る無線受信装置の有効パス選択方法にあっては、
パスサーチ用受信信号制御工程は、各遅延プロファイル毎のピークサンプル点の数に基づいて追加サーチセクタを決定してパスサーチ用受信信号選択信号を出力する。
【００３０】
【発明の実施の形態】
実施の形態１.
図１は、本実施の形態１の無線受信機の構成図である。Ｓ１１〜ＳＬＮはＬ個のセクタにそれぞれＮ個ずつ配置された全Ｌ×Ｎ個のアンテナブランチ（図１中に記載せず）により受信された受信信号、１は各受信信号Ｓ１１〜ＳＬＮに基づいて有効なパスを検出するパスサーチ回路、２は受信信号Ｓ１１〜ＳＬＮから遅延プロファイル算出の対象となるＰ個のパスサーチ用受信信号を選択するパスサーチ用受信信号選択手段、３−１〜３−Ｐは、前記パスサーチ用受信信号の遅延プロファイルを各々算出する複数の遅延プロファイル計算手段、５は各遅延プロファイル計算手段から出力されたＰ個の遅延プロファイルに基づいて、復調処理の対象となる有効パスを特定する制御手段、１０は制御手段５から出力された制御信号に基づいて、受信信号Ｓ１１〜ＳＬＮの復調処理を行う復調回路である。
【００３１】
図２は前記復調回路１０の構成図である。図２において、１１は前記パスサーチ回路１から出力される制御信号に基づき、前記受信信号Ｓ１１〜ＳＬＮから復調処理の対象となる受信信号を選出するフィンガ用受信信号選択手段、１２−１〜１２−Ｍは、前記フィンガ用受信信号選択手段１１によって選出された受信信号のうち、対応する受信信号を各々逆拡散復調処理してフィンガ復調信号を出力するフィンガ部、６２は前記選択された受信信号を逆拡散処理する相関器、６３は逆拡散処理済の受信信号に基づいてチャネル推定処理を行い該受信信号に乗ずる重み係数を決定する重み係数推定部、重み付け回路６４は前記逆拡散処理済の受信信号に前記重み係数を乗ずる重み付け回路、１３はＭ個のフィンガ復調信号を同相加算して復調信号を得るレイク合成手段である。
【００３２】
図３は、本実施の形態１の無線受信機における複数のアンテナブランチの配置例を示した模式図である。本実施の形態１の無線受信機では、４つのセクタ（セクタ数Ｌ＝４）で一つの円形セルを構成する。各セクタにはそれぞれ２つずつのアンテナブランチ（セクタ当りのアンテナブランチ数Ｎ＝２）が配置されており、合計８個のアンテナブランチで送信装置（図３中に記載せず）から送信された無線信号を受信する。
なお、以下ではアンテナブランチを表わす符号としてＡＬＮを用い、第一の添え字はセクタを、第二の添え字はセクタ内のアンテナブランチ番号を表わすものとする。
【００３３】
また以下では、セクタ数Ｌ＝４、１セクタあたりのアンテナブランチ数Ｎ＝２、フィンガ部の数Ｍ＝８であるものとし、遅延プロファイル計算手段の数Ｐをセクタ数Ｌと同一（Ｐ＝Ｌ＝４）とする。
【００３４】
上記の通り構成される本実施の形態１の無線受信装置の動作について説明する。各アンテナブランチＡ１１〜Ａ４２によって受信された搬送波周波数の受信信号Ｓ１１〜Ｓ４２は、周波数変換手段（図１に記載せず）によって所望のベースバンド帯に各々周波数変換処理された後にパスサーチ回路１に入力される。
【００３５】
パスサーチ用受信信号選択手段２は、受信信号Ｓ１１〜ＳＬＮから、予め定められた各セクタ一つずつ計４個（＝Ｌ）の受信信号を選択し、パスサーチ用受信信号＃１〜＃４として出力する。
以下では、パスサーチ用受信信号＃１〜＃４として各セクタからそれぞれ受信信号Ｓ１１、Ｓ２１、Ｓ３１、Ｓ４１（アンテナブランチＡ１１、Ａ２１、Ａ３１、Ａ４１）が選択されている場合について説明する。
【００３６】
各遅延プロファイル計算手段３−１〜３−Ｐには、送信レプリカが保存されている。遅延プロファイル計算手段３−１〜３−Ｐはそれぞれ対応するパスサーチ用受信信号＃１〜＃４（Ｓ１１、Ｓ２１、Ｓ３１、Ｓ４１）に実際に含まれたパイロットシンボルと送信レプリカとの間の相関電力値を所定時間間隔毎に算出する。当該相関電力値は、予め定められた時間に亘り積分処理され伝搬路状況の瞬時変動による影響が除去された後に、受信信号各々に関する遅延プロファイルとして出力される。
例えば、遅延プロファイル計算手段３−１は対応するパスサーチ用受信信号＃１（Ｓ１１）の遅延プロファイルを、遅延プロファイル計算手段３−２はパスサーチ用受信信号＃２（Ｓ２１）の遅延プロファイルを、遅延プロファイル計算手段３−３はパスサーチ用受信信号＃３（Ｓ３１）の遅延プロファイルを、遅延プロファイル計算手段３−４はパスサーチ用受信信号＃４（Ｓ４１）の遅延プロファイルを、それぞれ別個に算出する。
【００３７】
制御手段５は、各遅延プロファイル計算手段３−１〜３−４から出力された４個（＝Ｐ）の遅延プロファイルに基づいてピーク出力位相を検出する。
図４は、本実施の形態１の制御手段５におけるピーク出力位相検出処理の概要を示した説明図である。各受信信号Ｓ１１、Ｓ２１、Ｓ３１、Ｓ４１の遅延プロファイルが入力されると、制御手段５は、全Ｐ個の遅延プロファイルから、相関電力値が大きい順に４個（＝Ｍ／２）のピーク出力位相ａ、ｂ、ｃ、ｄを検出する。
図４に示す例では、受信信号Ｓ１１、Ｓ２１、Ｓ３１の各遅延プロファイルからピーク出力位相ａ、ｂ、ｃ、ｄが検出されている。一方、相関電力のピーク値が小さい受信信号Ｓ４１の各遅延プロファイルからは、ピーク出力位相が検出されない。
【００３８】
次に制御手段５は、遅延プロファイルの算出対象から除外された受信信号Ｓ１２、Ｓ２２、Ｓ３２、Ｓ４２について、同一セクタのアンテナブランチで既に算出済の遅延プロファイルを、当該受信信号に関する遅延プロファイルとみなし、これらの遅延プロファイルの内、最大のものから４個（＝Ｍ／２）のピーク出力位相を「拡張ピーク出力位相」ａ’、ｂ’、ｃ’、ｄ’として特定する。
【００３９】
例えば、遅延プロファイルの算出対象から除外された受信信号Ｓ１２について、同一のセクタ１に属する受信信号Ｓ１１について既に算出済の遅延プロファイルを、当該受信信号Ｓ１２の遅延プロファイルとみなす。また、該遅延プロファイルで検出されたピーク出力位相ｃに対応する相関電力のピーク値を、受信信号Ｓ１２の遅延プロファイルに関する拡張ピーク出力位相ｃ’として特定する。
同様に、受信信号Ｓ２２について、同一のセクタ２に属する受信信号Ｓ２１について既に算出済の遅延プロファイルより拡張ピーク出力位相ａ’を特定し、受信信号Ｓ３２について、同一のセクタ３に属する受信信号Ｓ３１について既に算出済の遅延プロファイルより拡張ピーク出力位相ｂ’及びｄ’を特定する。
制御手段５は、上記の通り特定されたＭ／２個のピーク出力位相ａ〜ｄ及びＭ／２個の拡張ピーク出力位相ａ’〜ｄ’を、それぞれ後述する各フィンガ部に割当てるピークサンプル点Ｉ〜VIIIとする。
【００４０】
制御手段５は、各ピークサンプル点Ｉ〜VIIIにそれぞれ対応するアンテナブランチを特定するための情報を「フィンガ用受信信号選択信号」として、復調回路１０のフィンガ用受信信号選択手段１１に対して出力する。フィンガ用受信信号選択手段１１は、フィンガ用受信信号選択信号に従い、８個（＝Ｌ×Ｎ）の受信信号Ｓ１１〜Ｓ４２の内、各ピークサンプル点Ｉ〜VIIIにそれぞれ対応するアンテナブランチの受信信号を選択し、「フィンガ用受信信号」としてそれぞれ対応するフィンガ部１２−１〜１２−Ｍに対して出力する。
例えば、上記ピークサンプル点Ｉ（ピーク出力位相ａ）については、対応する受信信号Ｓ２１をフィンガ用受信信号として、対応するフィンガ部１２−１に出力する。
【００４１】
制御手段５は、各ピークサンプル点Ｉ〜VIIIのピーク出力位相を「フィンガ用受信位相信号」として特定し、それぞれ対応するフィンガ部に対して出力する。
【００４２】
また制御手段５には、有効なパスを検出するために、相関電力のピーク値の閾値が予め保存されている。制御手段５は、前記各ピークサンプル点Ｉ〜VIIIの相関電力のピーク値と前記閾値とを比較して、相関電力のピーク値が前記閾値よりも小さいピークサンプル点があった場合には、当該ピークサンプル点に対応付けられたフィンガ部に対して、逆拡散処理の停止を指示する「フィンガ制御信号」を出力する。
【００４３】
各フィンガ部１２−１〜１２−Ｍにおいて、相関器６２は前記フィンガ用受信位相信号を逆拡散シンボルタイミングとして、対応するフィンガ用受信信号を逆拡散処理する。以下で図２に従い、フィンガ部１２−１〜１２−Ｍの逆拡散処理について説明する。なお図２では、簡単のためフィンガ部１２−１のみ内部の詳細構成を示したが、他のフィンガ部１２−１〜１２−Ｍも同一の構成を有し、同様の信号処理を行うものとする。
【００４４】
重み係数推定部６３は、相関器６２の出力信号を入力して所定時間に亘って平均化処理し、例えば上述した文献「ＤＳ／ＣＤＭＡにおける内挿型同期検波レイクの特性」に開示された方法により、前記パイロットシンボルを用いて当該受信信号に関するチャネル推定処理を行い、該チャネル推定結果に基づいて逆拡散処理済の受信信号に乗ずる重み係数を決定する。
重み付け回路６４は、相関器６２から出力された逆拡散処理済の受信信号に前記重み係数の共役複素数を乗じ、当該ピークサンプル点に関するフィンガ復調信号を出力する。
【００４５】
但し、前記制御手段５から、逆拡散処理の停止を指示するフィンガ制御信号が入力された、フィンガ部においては、相関器６２、重み係数推定部６３及び重み付け回路６４は、受信信号の信号処理を行わず、当該フィンガ部は動作を停止して、当該ピークサンプル点に関するフィンガ復調信号を出力しない。
【００４６】
レイク合成手段１３は、フィンガ部１２−１〜１２−Ｍからそれぞれ出力されたフィンガ復調信号を同相加算処理して、復調信号を得る。
【００４７】
以上の通り、本実施の形態１では、Ｌ個のセクタそれぞれにＮ個ずつ配置されたアンテナブランチのうち、予め選択された各セクタ一つずつのアンテナブランチについてのみ、遅延プロファイルを算出してピーク出力位相を特定するとともに、遅延プロファイル算出の対象から除外されたアンテナブランチについては、同一セクタで既に算出済の遅延プロファイルを用いて拡張ピーク出力位相を特定し、各ピーク出力位相及び拡張ピーク出力位相をピークサンプル点として各フィンガに割当てる構成としたことにより、アンテナブランチ数が増大した場合であっても、遅延プロファイル計算手段の個数を抑圧して、パスサーチ回路１の回路規模を削減することができる。
【００４８】
なお、本実施の形態１においてパスサーチ回路１は、Ｐ個の遅延プロファイル計算手段３−１〜３−Ｐを備え、パスサーチ用受信信号選択手段２から出力されたＰ個のパスサーチ用受信信号を入力し、それぞれ別個に並行して遅延プロファイルを算出したが、これはこのような構成に限定されるものではなく、例えば、パスサーチ回路１に一つの遅延プロファイル計算手段を備える構成とし、該遅延プロファイル計算手段がＰ個のパスサーチ用受信信号に基づいて時分割でＰ個の遅延プロファイルを順次算出するような構成であってもよい。このような構成とすることにより、パスサーチ回路１の回路規模を一層削減することができる。
さらに、遅延プロファイル計算手段の個数は一つに限定されるものではなく、パスサーチ回路１に複数の遅延プロファイル計算手段を備える構成とし、各遅延プロファイル計算手段がそれぞれ時分割で複数の遅延プロファイルを算出するような構成であってもよい。
【００４９】
また、パスサーチ用受信信号選択手段２は、各アンテナブランチの受信信号Ｓ１１〜Ｓ４２のうち、予め定められた各セクタ一つずつ受信信号Ｓ１１、Ｓ２１、Ｓ３１、Ｓ４１を選択し、パスサーチ用受信信号＃１〜＃４として出力したが、これはこのような構成に限定されるものではなく、各セクタにおいてパスサーチ用受信信号を切替えて選択するような構成であってもよい。さらに、各受信信号の受信信号強度を測定し、同一セクタの複数の受信信号のうち受信強度が最大の受信信号を当該セクタに関するパスサーチ用受信信号として選択するような構成であってもよい。
【００５０】
また、遅延プロファイル計算手段３−１〜３−Ｐは、各パスサーチ用受信信号と送信レプリカとの間の相関電力値を所定時間間隔毎に算出し、さらに該相関電力値を予め定められた時間に亘り積分処理して遅延プロファイルを算出したが、遅延プロファイル算出の時間間隔や前記相関電力値の積分時間は、各受信信号の受信特性に応じて外部から任意に設定可能とするような構成としてもよい。
【００５１】
また、各フィンガ部１２−１〜１２−Ｍは、パスサーチ回路１から出力されたフィンガ制御信号に基づき動作を停止したが、このような構成に限定されるものではなく、各ピークサンプル点Ｉ〜VIIIに関するフィンガ制御信号をレイク合成手段１３に入力し、各フィンガ制御信号に基づいてフィンガ部１２−１〜１２−Ｍからのフィンガ復調信号を選択的にレイク合成の対象から除外するような構成であっても、上述した実施の形態１と同様の効果を得ることが可能である。
【００５２】
なお、本実施の形態１では、Ｌ個のセクタで円形セルを展開し、各セクタ毎にＮ個のアンテナブランチを配置するような構成としたが、複数のセクタによって展開されるセルの形状は円形に限定されるものではなく、任意の方向に指向性を有するセル形状であってもよく、各セクタのアンテナブランチ数がセクタ毎に異なるような構成であってもよい。
またセクタ数Ｌ、セクタ毎のアンテナブランチ数Ｎ、遅延プロファイル計算手段の数Ｐ及びフィンガ部の数Ｍは、上記具体例に限定されるものではない。
【００５３】
実施の形態２．
前記実施の形態１では、パスサーチ回路は各セクタ一つずつのパスサーチ用受信信号について遅延プロファイルを算出してピークサンプル点を特定したが、本実施の形態２では、各セクタ一つずつのパスサーチ用受信信号の他に、相関電力値の大きなセクタの他のアンテナブランチの受信信号を冗長パスサーチ受信信号として選択し、遅延プロファイルを算出しピークサンプル点を特定する。
なお本実施の形態２は、前述の実施の形態１とはパスサーチ回路の構成、パスサーチ用受信信号選択処理及び遅延プロファイル算出処理が異なるものであり、その他の構成及び動作は同様であるため、以下ではパスサーチ回路の構成及び動作についてのみ説明し、その他の構成について同一の符号を付して説明を省略する。
【００５４】
図５は、本実施の形態２の無線受信機の構成図である。本実施の形態２において、パスサーチ回路１は、セクタ数Ｌよりも一つ多いＰ個（＝Ｌ＋１）の遅延プロファイル計算手段を備える。また、制御手段５はパスサーチ用受信信号の選択を指示する制御情報である「パスサーチ用受信信号選択信号」をパスサーチ用受信信号選択手段２に対して出力し、パスサーチ用受信信号選択手段２は、該パスサーチ用受信信号選択信号に従い、Ｐ個（＝Ｌ＋１）のパスサーチ用受信信号を出力する。
【００５５】
本実施の形態２のパスサーチ回路１の動作について説明する。まずパスサーチ用受信信号選択手段２は、受信信号Ｓ１１〜ＳＬＮから、予め定められた各セクタ一つずつ計４個（＝Ｌ）の受信信号を選択し、パスサーチ用受信信号＃１〜＃４として出力する。
【００５６】
さらに、パスサーチ用受信信号選択手段２は、前記パスサーチ用受信信号＃１〜＃４として選択されなかった受信信号の内、何れか一つの受信信号を冗長パスサーチ用受信信号＃５として選択する。
【００５７】
図６は、本実施の形態２のパスサーチ用受信信号の選択の概要を示した説明図である。図６の例では、セクタ数Ｌ＝４、各セクタのアンテナブランチ数Ｎ＝２（遅延プロファイル計算手段の数Ｐ＝５、フィンガ部の数Ｍ＝８）の場合について示しており、パスサーチ用受信信号＃１〜＃４として各セクタからそれぞれ受信信号Ｓ１１、Ｓ２１、Ｓ３１、Ｓ４１（アンテナブランチＡ１１、Ａ２１、Ａ３１、Ａ４１）が選択されている（図６中、黒丸で記載）。
また、初期状態において、上記パスサーチ用受信信号＃１〜＃４として選択されなかった受信信号のうち、セクタ２の受信信号Ｓ２２が、冗長パスサーチ用受信信号＃５として選択されている（図６中、網掛した四角で記載）。
【００５８】
遅延プロファイル計算手段３−１〜３−５は、それぞれ対応するパスサーチ用受信信号を入力し、遅延プロファイルを算出する。
【００５９】
制御手段５は、各遅延プロファイル計算手段３−１〜３−５から出力された５個（＝Ｐ）の遅延プロファイルに基づいてピーク出力位相を検出する。
図７は、本実施の形態２の制御手段５におけるピーク出力位相検出処理の概要を示した説明図である。パスサーチ用受信信号＃１〜＃４（Ｓ１１、Ｓ２１、Ｓ３１、Ｓ４１）及び冗長パスサーチ用受信信号＃５（Ｓ２２）の遅延プロファイルが入力されると、制御手段５は、５個（＝Ｐ）の遅延プロファイルから、相関電力値が大きい順に８個（＝Ｍ）のピーク出力位相ａ〜ｈを検出する。
図７に示す例では、受信信号Ｓ１１、Ｓ２１、Ｓ２２、Ｓ３１の各遅延プロファイルからピーク出力位相ａ〜ｈが検出されている。一方、相関電力のピーク値が小さい受信信号Ｓ４１の各遅延プロファイルからは、ピーク出力位相が検出されない。
【００６０】
次に制御手段５は、セクタ１のパスサーチ用受信信号（Ｓ１１）について算出された遅延プロファイルを、遅延プロファイル算出の対象から除外された同一セクタの受信信号Ｓ１２に関する遅延プロファイルとみなす。また、当該受信信号Ｓ１２に関し、パスサーチ用受信信号（Ｓ１１）で検出されたピーク出力位相ｃ、ｆにそれぞれ対応する拡張ピーク出力位相ｃ’、ｆ’を特定する。
制御手段５は、セクタ３についても、上記と同様に遅延プロファイル算出の対象から除外された受信信号Ｓ３２について、拡張ピーク出力位相ｄ’、ｈ’を特定する。
【００６１】
なお、全てのアンテナブランチが遅延プロファイル算出の対象となっているセクタ２、及びピーク出力位相が検出されなかったセクタ４については、拡張ピーク出力位相の特定は行われない。
【００６２】
制御手段５は、前記ピーク出力位相ａ〜ｈ及び拡張ピーク出力位相ｃ’、ｄ’、ｆ’、ｈ’のうち、相関電力のピーク値が大きい順に８個（＝Ｍ）を抽出し、これらをピークサンプル点Ｉ〜VIIIとして特定する。
図７の例では、前記ピーク出力位相ａ〜ｈ及び拡張ピーク出力位相ｃ’、ｄ’、ｆ’、ｈ’のうち、相関電力のピーク値が大きいａ、ｂ、ｃ、ｃ’、ｄ、ｄ’、ｅ、ｆをそれぞれピークサンプル点Ｉ〜VIIIとして特定する。
この時、ピーク出力位相ｆと拡張ピーク出力位相ｆ’は相関電力値が等しくなるが、実際に遅延プロファイルの測定が行われたパスサーチ用受信信号（Ｓ１１）に関するピーク出力位相ｆを、拡張ピーク出力位相ｆ’より優先してピークサンプル点として特定する。
【００６３】
制御手段５は、ピークサンプル点Ｉ〜VIIIに関し、前記フィンガ用受信信号選択信号、フィンガ用受信位相信号及びフィンガ制御信号を復調回路１０に対して出力し、ピークサンプル点Ｉ〜VIIIを各フィンガ部１２−１〜１２−８に割当てる。
【００６４】
次に制御手段５は、前記ピークサンプル点Ｉ〜VIIIのうち相関電力値が最大のものに対応する受信信号のセクタを「追加サーチセクタ」として特定する。
その結果、当該追加サーチセクタに遅延プロファイル算出の対象から除外されているアンテナブランチがある場合には、当該アンテナブランチの受信信号を冗長パスサーチ用受信信号＃５として指定を切替える。
【００６５】
例えば、図６に示す例において、セクタ１のアンテナブランチＡ１１は遅延プロファイル算出の対象となっているが、アンテナブランチＡ１２は遅延プロファイル算出の対象から除外されている。また、冗長パスサーチ用受信信号＃５として、別のセクタ２のアンテナブランチＡ２２の受信信号Ｓ２２が選択されている。
この場合において、アンテナブランチＡ１１の遅延プロファイルから相関電力のピーク値が最大となるピークサンプル点が検出された場合には、制御手段５は、セクタ２のアンテナブランチＡ２２を遅延プロファイル算出の対象から除外するとともに、セクタ１のアンテナブランチＡ１２を新たに遅延プロファイル算出の対象とし、受信信号Ｓ１２を冗長パスサーチ用受信信号＃５として選出する。
【００６６】
一方、追加サーチセクタの全てのアンテナブランチが既に遅延プロファイル算出の対象として選択されており、該追加サーチセクタに遅延プロファイル算出の対象から除外されているアンテナブランチがない場合には、冗長パスサーチ用受信信号＃５の指定切替えを行わない。
【００６７】
制御手段５は、遅延プロファイル算出対象の切替えに関する情報を、「パスサーチ用受信信号選択信号」として、前記パスサーチ用受信信号選択手段２に対して出力する。
パスサーチ用受信信号選択手段２は、該パスサーチ用受信信号選択信号に従ってパスサーチ用受信信号＃１〜＃４及び冗長パスサーチ用受信信号＃５を選択し、それぞれ対応する遅延プロファイル計算手段３−１〜３−５に対して出力する。
パスサーチ回路１は、無線信号の受信中に亘り、予め定められた所定期間毎（例えば５０ミリ秒毎、若しくは、受信信号が所定のフレームフォーマットを有する場合には所定フレーム数単位毎）にパスサーチ用受信信号選択信号の選択切替え処理を行う。
【００６８】
以上の通り、本実施の形態２では、セクタ数Ｌより多いパスサーチ用受信信号を選択し、Ｌ個のセクタ各々に、少なくとも一つずつの遅延プロファイル算出対象のアンテナブランチを配置するとともに、相関電力のピーク値が最大となるピークサンプル点をもつアンテナブランチと同一のセクタに属する他のアンテナブランチを遅延プロファイル算出の対象とするような構成としたことにより、総アンテナブランチ数に比して遅延プロファイル計算手段の個数を抑圧した場合であっても、各アンテナブランチの受信特性に応じて遅延プロファイル算出の対象を選択することができ、有効パスの選択及びフィンガ部の割当処理を精度良く行って、復調性能を高めることができる。
【００６９】
なお、本実施の形態２において、制御手段５は、前記ピークサンプル点Ｉ〜VIIIのうち相関電力値が最大のものに対応する受信信号のセクタを追加サーチセクタとして特定したが、追加サーチセクタの特定の方法はこれに限定されるものではなく、例えば、特定されたピークサンプル点の個数が最大となる受信信号のセクタを追加サーチセクタとして特定するような構成であってもよい。
【００７０】
また、パスサーチ回路１は、セクタ数Ｌよりも一つ多いＰ個（＝Ｌ＋１）の遅延プロファイル計算手段を備え、パスサーチ用受信信号選択手段２は、該パスサーチ用受信信号選択信号に従い、セクタ数Ｌよりも一つ多いＰ個のパスサーチ用受信信号を出力したが（冗長パスサーチ用受信信号の個数は一つ）、冗長パスサーチ用受信信号の個数は一つに限られるものではなく、冗長パスサーチ用受信信号の個数が二つ以上である場合であっても、遅延プロファイル計算手段の総数Ｐがアンテナブランチの総数（Ｌ×Ｎ）より少なければ、パスサーチ回路１の回路規模削減という効果を得ることができる。この場合において、前記制御手段５は、相関電力値が大きい順、若しくはピークサンプル点の個数が多い順に、複数の追加サーチセクタを選択して複数の冗長パスサーチ用受信信号を順次選択する。
【００７１】
さらに実施の形態１及び２において、全Ｍ個のピーク出力位相及び拡張ピーク出力位相を特定した後に、各相関電力のピーク値と所定の閾値とを比較し、その結果に基づいてフィンガ制御信号の生成し逆拡散処理の停止を指示したが、これはこのような構成に限定されるものではなく、制御手段５によるピーク出力位相検出処理において、各ピーク出力位相の各相関電力のピーク値と前記閾値を比較し、その結果に基づいてフィンガ制御信号を生成するとともに、拡張ピーク出力位相を特定するような構成であってもよい。
【００７２】
【発明の効果】
以上の通り、本発明によれば、１セクタあたり少なくとも一つのアンテナブランチの受信信号のみについて遅延プロファイルを算出し、該遅延プロファイルを、同一のセクタに配置され且つ遅延プロファイル算出の対象から除外されたアンテナブランチの遅延プロファイルとみなし、各遅延プロファイルに基づいて所定数のピークサンプル点を特定して、各受信信号を復調処理する構成としたことにより、遅延プロファイル計算手段の回路規模を削減することができる、といった効果を奏する。
【００７３】
また次の発明によれば、１セクタあたり少なくとも一つのアンテナブランチをパスサーチ用受信信号として選択するとともに、相関電力値の大きいセクタに配置され上記パスサーチ用受信信号の選択から除外されたアンテナブランチから所定数の冗長パスサーチ用受信信号を選択し、各パスサーチ用受信信号及び前記冗長パスサーチ用受信信号について遅延プロファイルを算出し所定数のピークサンプル点を特定して、各受信信号を復調処理する構成としたことにより、遅延プロファイル計算手段の回路規模を削減した場合であっても、各アンテナブランチの受信特性を考慮した上で、精度良く有効パスの選択及びフィンガ部の割当を行うことができ、復調性能の劣化を抑圧することができる、といった効果を奏する。
【００７４】
また次の発明によれば、各遅延プロファイルのピークサンプル点の数に基づいて所定数の冗長パスサーチ用受信信号を選択するような構成としたことにより、各アンテナブランチの受信特性を考慮した上で、精度良く有効パスの選択及びフィンガ部の割当を行うことができ、復調性能の劣化を抑圧することができる、といった効果を奏する。
【００７５】
また次の発明によれば、ピーク出力位相と拡張ピーク出力位相の相関電力のピーク値が同一である場合には、実際に遅延プロファイルが算出されたピーク出力位相を優先してピークサンプル点として選択する構成としたことにより、有効パス選択の精度を一層高めることができ、復調性能の劣化を抑圧することができる、といった効果を奏する。
【００７６】
また次の発明によれば、遅延プロファイル算出手段において、複数のパスサーチ用受信信号に関する遅延プロファイルを時分割で順次算出する構成としたことにより、遅延プロファイル計算手段の回路規模を一層削減することができる、といった効果を奏する。
【図面の簡単な説明】
【図１】  本発明の実施の形態１の無線受信装置の構成図である。
【図２】  本発明の実施の形態１及び２の復調回路の構成図である。
【図３】  本発明の実施の形態１のアンテナブランチの配置例を示した模式図である。
【図４】  本発明の実施の形態１におけるピークサンプル点の選択の概要を示した説明図である。
【図５】  本発明の実施の形態２の無線受信装置の構成図である。
【図６】  本発明の実施の形態２のアンテナブランチの配置例を示した模式図である。
【図７】  本発明の実施の形態２におけるピークサンプル点の選択の概要を示した説明図である。
【図８】  従来の無線基地局装置の構成図である。
【符号の説明】
Ａ１１〜Ａ４２  アンテナブランチ
Ｓ１１〜ＳＬＮ  アンテナブランチの受信信号
１  パスサーチ回路
２  パスサーチ用受信信号選択手段
３−１〜３−Ｐ、５２、５３  遅延プロファイル計算手段
５  制御手段
１０  復調回路
１１  フィンガ用受信信号選択手段
１２−１〜１２−Ｍ、６０−１〜６０−８  フィンガ部
１３、６５  レイク合成手段
５０、５１  入力端子
５４  パス制御部
６１  スイッチ
６２  相関器
６３  重み係数推定部
６４  重み付け回路
６６  復調出力端子
【図１】
0004014878.tif 000002
【図２】
0004014878.tif 000003
【図３】
0004014878.tif 000004
【図４】
0004014878.tif 000005
【図５】
0004014878.tif 000006
【図６】
0004014878.tif 000007
【図７】
0004014878.tif 000008
【図８】
0004014878.tif 000009